(57)【要約】【課題】活動量計測装置を所有していないユーザの所有する携帯端末に対して、所定のエクササイズを行った際に実際に得られる活動量に即した正確な活動量を提供することのできる活動支援装置を提供する。【解決手段】本発明の一態様に係るサーバ（３０）は、ユーザが所定のエクササイズを行う場合に、ユーザの所有する携帯端末（２０Ｂ）に対して、所定のエクササイズに関連付けられている活動量情報を提供する活動量抽出部（３２３）と、他のユーザの活動量を計測する活動量計（１０）に対応する他の携帯端末（２０Ａ）から他の活動量情報を取得する活動量管理部（３２２）を備えており、活動量抽出部（３２３）は、活動量管理部（３２２）において取得した他の活動量情報を、活動量情報として提供する。【選択図】図１
2015066005.tif 000002
【特許請求の範囲】
【請求項１】
対象ユーザが所定のエクササイズを行う場合に、当該対象ユーザの所有する携帯端末に対して、上記所定のエクササイズに応じた活動量を示す活動量情報を提供する提供手段を備えた活動支援装置であって、
他のユーザが上記所定のエクササイズを行った際の活動量を示す活動量情報を、そのユーザの活動量を計測する活動量計測装置に対応する他の携帯端末から取得する取得手段を備えており、
上記提供手段は、上記取得手段によって取得された活動量情報を、上記所定のエクササイズに応じた活動量を示す活動量情報として提供する、
ことを特徴とする活動支援装置。
【請求項２】
上記取得手段は、複数のユーザの各々が上記所定のエクササイズを行った際の活動量を示す活動量情報を、そのユーザの活動量を計測する活動量計測装置に対応する他の携帯端末から取得し、
当該活動支援装置は、上記複数のユーザの各々が上記所定のエクササイズを行った際の活動量を示す活動量情報を、そのユーザの属性を示すユーザ属性情報と関連付けて記憶部に記録する記録手段を更に備え、
上記提供手段は、上記記憶部に記録された活動量情報のうち、上記対象ユーザの属性と類似する属性を示すユーザ属性情報に関連付けられている活動量情報を、上記所定のエクササイズに応じた活動量を示す活動量情報として提供する、
ことを特徴とする請求項１に記載の活動支援装置。
【請求項３】
複数のユーザの各々が上記所定のエクササイズを行った際に、そのユーザの周囲の環境を示す環境情報を取得する環境情報取得手段と、
上記複数のユーザの各々が上記所定のエクササイズを行った際の活動量を示す活動量情報を、上記環境情報取得手段によって取得された環境情報と関連づけて記憶部に記録する記録手段と、を更に備え、
上記提供手段は、上記記憶部に記録された活動量情報のうち、上記対象ユーザの周囲の環境と類似する環境を示す環境情報に関連付けられている活動量情報を、上記所定のエクササイズに応じた活動量を示す活動量情報として提供する、
ことを特徴とする請求項１に記載の活動支援装置。
【請求項４】
対象ユーザが所定のエクササイズを行う場合に、上記所定のエクササイズに応じた活動量を提示する提示手段を備えた携帯端末であって、
他のユーザが上記所定のエクササイズを行った際の活動量を示す活動量情報を、そのユーザの活動量を計測する活動量計測装置に対応する他の携帯端末から活動支援装置を介して受信する受信手段を備えており、
上記提示手段は、上記受信手段によって受信された活動量情報の示す活動量を、上記所定のエクササイズに応じた活動量として提示する、
ことを特徴とする携帯端末。
【請求項５】
対象ユーザが所定のエクササイズを行う場合に、上記所定のエクササイズに対応する活動量を提示する携帯端末と、
他のユーザの活動量を計測する活動量計測装置に対応する他の携帯端末と、
上記携帯端末及び上記他の携帯端末と通信を行う活動支援装置と、を備えた活動支援システムであって、
上記活動支援装置は、上記他の携帯端末から取得した、上記他のユーザが上記所定のエクササイズを行った際の活動量を示す活動量情報を上記携帯端末に送信し、
上記携帯端末は、上記活動支援装置から送信された活動量情報の示す活動量を、上記所定のエクササイズに対応する活動量として提示する、
ことを特徴とする活動支援システム。
【発明の詳細な説明】
【技術分野】
【０００１】
本発明は、活動支援装置、携帯端末、及び、活動支援システムに関する。
【背景技術】
【０００２】
従来、歩数、消費カロリー、歩行距離などのユーザの運動量を計測する活動量計が広く普及している。例えば、特許文献１には、ユーザの運動のデータ（ゆっくり歩行、不通歩行など）を計測し、運動強度（ＭＥＴｓ）及び消費カロリーなどを算出する技術が開示されている。
【０００３】
一方で、活動量計はユーザが容易に身に着けられるよう、小型かつ軽量であることが望まれる。しかし、活動量計を小型かつ軽量にすると、演算能力、メモリ、及び、バッテリーなどの機能が限られてしまうため、ユーザの運動量を高精度で提示することが難しい。
【０００４】
これに対し、近年では、ユーザの歩行距離から消費カロリーなどを算出するアプリケーションを実行することにより、疑似的に活動量計と同様の機能を発揮することのできる携帯端末やシステムも広がってきている。
【０００５】
例えば、特許文献２には、ＧＰＳを利用して取得したユーザの位置情報などから活動量を算出するシステムが開示されている。
【先行技術文献】
【特許文献】
【０００６】
【特許文献１】特開２００９−２８３１２号公報（２００９年２月１２日公開）
【特許文献２】特開２０１３−１２６５８６号公報（２０１３年６月２７日公開）
【発明の概要】
【発明が解決しようとする課題】
【０００７】
しかし、活動量計を所有していないユーザに対して、一般的に定められたパラメータを用いて自動的に算出した活動量を提示する従来の技術では、ユーザは自身の活動量を正確に知ることはできないという問題がある。例えば、出発地点から到達地点まで歩いた場合の活動量を出発地点から到達地点までの距離と時間から算出した場合、坂道などの高低差などが加味されず、正確な活動量を算出することはできない。
【０００８】
本発明は、上記の課題を解決するためになされたものであり、その主たる目的は、活動量計測装置を所有していないユーザの所有する携帯端末に対して、所定のエクササイズを行った際に実際に得られる活動量に即した正確な活動量を提供することのできる活動支援装置を提供することにある。
【課題を解決するための手段】
【０００９】
本発明の一態様に係る活動支援装置は、対象ユーザが所定のエクササイズを行う場合に、当該対象ユーザの所有する携帯端末に対して、上記所定のエクササイズに応じた活動量を示す活動量情報を提供する提供手段を備えた活動支援装置であって、他のユーザが上記所定のエクササイズを行った際の活動量を示す活動量情報を、そのユーザの活動量を計測する活動量計測装置に対応する他の携帯端末から取得する取得手段を備えており、上記提供手段は、上記取得手段によって取得された活動量情報を、上記所定のエクササイズに応じた活動量を示す活動量情報として提供する。
【００１０】
本発明の一態様に係る活動支援装置の活動量提供方法は、対象ユーザが所定のエクササイズを行う場合に、当該対象ユーザの所有する携帯端末に対して、上記所定のエクササイズに応じた活動量を示す活動量情報を、活動量支援装置が提供する活動量提供方法であって、他のユーザが上記所定のエクササイズを行った際の活動量を示す活動量情報を、そのユーザの活動量を計測する活動量計測装置に対応する他の携帯端末から取得する取得ステップと、上記取得ステップにおいて取得された活動量情報を、上記所定のエクササイズに応じた活動量を示す活動量情報として提供する提供ステップと、を含んでいる。
【００１１】
本発明の一態様に係る携帯端末は、対象ユーザが所定のエクササイズを行う場合に、上記所定のエクササイズに応じた活動量を提示する提示手段を備えた携帯端末であって、他のユーザが上記所定のエクササイズを行った際の活動量を示す活動量情報を、そのユーザの活動量を計測する活動量計測装置に対応する他の携帯端末から活動支援装置を介して受信する受信手段を備えており、上記提示手段は、上記受信手段によって受信された活動量情報の示す活動量を、上記所定のエクササイズに応じた活動量として提示する。
【００１２】
本発明の一態様に係る活動支援システムは、対象ユーザが所定のエクササイズを行う場合に、上記所定のエクササイズに対応する活動量を提示する携帯端末と、他のユーザの活動量を計測する活動量計測装置に対応する他の携帯端末と、上記携帯端末及び上記他の携帯端末と通信を行う活動支援装置と、を備えた活動支援システムであって、上記活動支援装置は、上記他の携帯端末から取得した、上記他のユーザが上記所定のエクササイズを行った際の活動量を示す活動量情報を上記携帯端末に送信し、上記携帯端末は、上記活動支援装置から送信された活動量情報の示す活動量を、上記所定のエクササイズに対応する活動量として提示する。
【発明の効果】
【００１３】
上記の構成によれば、上記活動支援装置は、活動量計測装置を所有していない上記ユーザの所有する上記携帯端末に対して、上記所定のエクササイズを行った際に実際に得られる活動量に即した正確な活動量を提供することができる。
【図面の簡単な説明】
【００１４】
【図１】本発明の一実施形態に係る活動支援システムの備える活動量計、携帯端末、及び、サーバの構成を示すブロック図である。
【図２】本発明の一実施形態に係る活動支援システムの外観を示す外観図である。
【図３】本発明の一実施形態に係る携帯端末からサーバに送信される活動量補助情報の示すデータの一例を示す図である。
【図４】本発明の一実施形態に係る携帯端末の表示部に表示される、ウォーキングルートを含む地図の一例を模式的に示す図であり、（ａ）は出発地点がＥ地点、到着地点がＦ地点であって、距離が１ｋｍの経路となるルート条件が設定されている場合の地図の一例を示し、（ｂ）は出発地点がＧ地点、到着地点がＨ地点であって、地点Ｉを通るルート条件が設定されている場合の地図の一例を示している。
【図５】本発明の一実施形態に係る活動量管理テーブルの一例を示す図であり、（ａ）は活動量管理テーブルのうちの固定データテーブルの一例を示し、（ｂ）は活動量管理テーブルのうちの変動データテーブルの一例を示している。
【図６】本発明の一実施形態に係る活動支援システムにおける、活動量計を使用するユーザに対する活動量提示処理の流れを示すシーケンス図である。
【図７】本発明の一実施形態に係る活動支援システムにおける、活動量計を使用しないユーザに対する活動量提示処理の流れを示すシーケンス図である。
【図８】本発明の一実施形態に係る携帯端末の表示部に表示される、ウォーキングルートを含む地図の一例を模式的に示す図である。
【発明を実施するための形態】
【００１５】
＜実施形態１＞
本発明に係る活動支援システムの一実施形態について、図１から図８を参照して説明する。但し、この実施形態に記載されている構成は、特に特定的な記載がない限り、この発明の範囲をそれのみに限定する趣旨ではなく、単なる説明例に過ぎない。
【００１６】
〔活動支援システムの構成〕
まず、本実施形態に係る活動支援システムについて、図２を参照して説明する。図２は、本実施形態に係る活動支援システム１の外観を示す外観図である。
【００１７】
図２に示すように、活動支援システム１は、活動量計（活動量計測装置）１０、携帯端末２０、及び、サーバ（活動支援装置）３０を含んで構成されている。また、本実施形態に係る活動支援システム１には、図２に示すように、活動量計１０及び携帯端末２０が複数含まれている。図２では、活動量計１０に対応する携帯端末２０、すなわち、活動量計１０と近距離無線通信を行う携帯端末２０（活動量計１０を所有するユーザ（他のユーザ）が所有する携帯端末２０）を携帯端末２０Ａと表している。また、活動量計１０と近距離無線通信を行わない携帯端末２０（活動量計１０を使用していないユーザ（対象ユーザ）が使用する携帯端末２０）を携帯端末２０Ｂと表している。
【００１８】
本実施形態においては、活動量計１０と携帯端末２０Ａとの間の近距離無線通信に、低消費電力型の近距離無線通信を用いる。低消費電力型の近距離無線通信としては、例えば、Bluetooth（登録商標）４．０（いわゆる、Bluetooth Low Energy）やＡＮＴなどが挙げられる。
【００１９】
活動量計１０は、ユーザの活動量を計測すると共に、計測した活動量を示す活動量情報を携帯端末２０Ａを介してサーバ３０に送信する。
【００２０】
ここで、活動量とは、ユーザの活動の激しさを定量化した数値であり、歩数、運動量（METs、Metabolic equivalents）、エクササイズ（EX）量、歩行距離、歩行ペース、消費カロリー、ウォーキング歩数（３METs以上の運動量を有する歩数）、ジョギング歩数（６METs以上の運動量を有する歩数）、活動時間（３METs以上の運動量を有して活動した時間）などがこれに該当する。これらの活動量は、センサ（例えば、加速度センサ）の出力から逐次検出される１次活動量（例えば、歩数）と、１次活動量から随時算出される２次活動量（例えば、歩数以外の各活動量）とに分類される。本明細書において、「活動量の計測」とは、主に、１次活動量から２次活動量を算出することを指す。
【００２１】
携帯端末２０においては、活動量をユーザに提示するアプリケーション、例えば、ウォーキングを支援するウォーキングアプリケーションが実行される。ウォーキングアプリケーションを実行すると、携帯端末２０は、ウォーキングルートを示した地図（後述する図４及び図８）を表示すると共に、幾つかの活動量（例えば、ＥＸ量、歩数、歩行距離、及び、消費カロリーなど）を表示する。
【００２２】
なお、本実施形態においては、図２に示すように、活動量計１０として、ユーザの手首に装着可能なリストバンド型の活動量計を用いる。ただし、活動量計１０は、直接的または間接的にユーザの身体に装着可能なものであればよく、その形態はリストバンド型に限定されない。例えば、ユーザの首に装着可能なネックレス型の活動量計、着衣を介してユーザの身体に装着可能なクリップ型の活動量計などを、活動量計１０として用いても良い。
【００２３】
また、本実施形態においては、図２に示すように、携帯端末２０として、スマートフォンを用いる。ただし、携帯端末２０は、携帯可能な情報処理装置であればよく、スマートフォンに限定されない。例えば、携帯電話端末、ＰＤＡ（Personal Digital Assistant）、タブレット型ＰＣ（Personal Computer）などを、携帯端末２０として用いてもよい。
【００２４】
本実施形態に係る活動支援システム１の備える活動量計１０、携帯端末２０、及び、サーバ３０の構成の概要について、図１を参照して説明する。図１は、本実施形態に係る活動支援システム１の備える活動量計１０、携帯端末２０、及び、サーバ３０の構成を示すブロック図である。
【００２５】
〔活動量計〕
活動量計１０は、当該活動量計１０を身に着けているユーザの活動量を計測するための装置であり、計測した活動量を示す活動量情報を携帯端末２０に送信する。活動量計１０は、図１に示すように、センサ部１０１、計時部１０２、通信部１０３、制御部１０４、及び、記憶部１０５を備えている。
【００２６】
（センサ部）
センサ部１０１は、少なくとも加速度センサを含み、検出した加速度を示すセンサ信号を制御部１０４に出力する。なお、本実施形態においては、３軸加速度センサをセンサ部１０１に含めているが、３軸加速度センサの代わりに２軸加速度センサまたは１軸加速度センサをセンサ部１０１に含めてもよい。また、加速度センサに加えて、ジャイロセンサ、高度（気圧）センサ、温度センサ、湿度センサなどをセンサ部１０１に含めてもよい。これらのセンサから出力されるセンサ信号を参照することによって、ユーザの姿勢や周辺環境に依存する活動量をより正確に算出することが可能になる。
【００２７】
（計時部）
計時部１０２は、制御部１０４により指定された時間の経過を制御部１０４に通知するタイマーである。具体的には、計時部１０２は、所定の時間が経過したか否かを判定し、所定の時間が経過したと判定した場合に、所定の時間が経過したことを制御部１０４に通知する。そして、計時部１０２は、所定の時間が経過したかの判定から、所定の時間が経過した旨の通知までの一連の処理を繰り返し実行する。
【００２８】
所定の時間は、例えば、１時間であってもよいし、１０分であってもよいし、１分であってもよいし、特に限定されるものではない。また、所定の時間は、ユーザが任意に設定可能であってもよい。この場合には、所定の時間は、活動量計１０の備える操作部（不図示）を操作することによって設定可能であってもよいし、後述する携帯端末２０の備える操作部２０４を操作することによって設定可能であってもよい。
【００２９】
計時部１０２は、更に、時計を備えていてもよい。この場合には、計時部１０２は、制御部１０４に対して時刻を通知してもよい。
【００３０】
（通信部）
通信部１０３は、携帯端末２０との間で近距離無線通信を行う。通信部１０３は、制御部１０４から供給された活動量情報を携帯端末２０に送信すると共に、携帯端末２０から送信される報知指示を受信する（なお、活動量情報および報知指示の詳細については、後述する）。
【００３１】
（制御部）
制御部１０４は、活動量計１０の各部を統括的に制御する。制御部１０４は、例えば、ＣＰＵ（central processing unit）などによって実現される。また、制御部１０４は、図１に示すように、センサ出力解析部１４１、活動量計測部１４２、及び、転送データ生成部１４３を備えている。
【００３２】
センサ出力解析部１４１は、センサ部１０１から出力されるセンサ信号を参照することによって歩数（１次活動量）をカウントする。加速度を示すセンサ信号に基づく歩数のカウントには、公知のアルゴリズムを用いることができる。センサ出力解析部１４１によりカウントされた歩数は、活動量情報として記憶部１０５に記憶される。
【００３３】
活動量計測部１４２は、記憶部１０５に記憶された歩数から各種活動量（２次活動量）を算出する。歩数に基づく各種活動量の算出には、公知のアルゴリズムを用いることができる。活動量計測部１４２により算出された活動量は、活動量情報として記憶部１０５に記憶される。
【００３４】
転送データ生成部１４３は、未送信の活動量情報を記憶部１０５から読み出し、読みだした活動量情報を含む転送データを生成する。転送データ生成部１４３により生成された転送データは、通信部１０３を介して携帯端末２０に送信される。なお、転送データ生成部１４３が転送データの生成を実行するタイミング、すなわち、活動量情報が携帯端末２０に送信されるタイミングは、計時部１０２によって制御されればよい。また、記憶部１０５の容量を有効に使用するため、転送データ生成部１４３は、送信するために読み出した活動量情報を、記憶部１０５から削除することが好ましい。
【００３５】
（記憶部）
記憶部１０５には、通信部１０３が受信したデータや制御部１０４の備える活動量計測部１４２において算出された活動量情報などが格納される。
【００３６】
〔携帯端末〕
携帯端末２０は、活動量計１０と連携して、ユーザの活動量を計測する装置である。携帯端末２０は、図１に示すように、通信部（受信手段）２０１、補助情報取得部２０２、制御部２０３、操作部２０４、記憶部２０５、及び、表示部（提示手段）２０６を備えている。なお、本実施形態では、携帯端末２０Ａ及び携帯端末２０Ｂの備える構成は同じであるため、携帯端末２０として説明する。
【００３７】
（通信部）
通信部２０１は、活動量計１０との間で近距離無線通信を行うと共に、サーバ３０との間で無線通信を行う。なお、通信部２０１におけるサーバ３０との無線通信は、例えば、インターネットなどのネットワークを介した無線通信であればよく、特に限定されるものではない。
【００３８】
（補助情報取得部）
補助情報取得部２０２は、ユーザの活動量に関する補助的な情報（活動量補助情報）を取得する。本実施形態では、補助情報取得部２０２は、例えば、ＧＰＳ（Global Positioning System：全地球測位システム）によって実現されていればよい。この場合には、補助情報取得部２０２は、活動量補助情報として、ユーザの位置を緯度及び経度の値により取得する。
【００３９】
（操作部）
操作部２０４は、ユーザ操作を受け付け、受け付けたユーザ操作を示す操作情報を制御部２０３に出力する。操作部２０４は、例えば、物理的な複数のボタンなど（ハードウェアキー）によって実現されていてもよいし、タッチパネルなどによって実現されていてもよいし、特に限定されない。
【００４０】
また、操作部２０４は、活動（例えば、ウォーキング、ジョギングなど）するための活動用ルートを生成する旨のユーザ指示を受け付ける。操作部２０４は、ルートを生成する旨のユーザ指示として、例えば、ユーザの活動の出発地点、到着地点、及び、ユーザが所望するルートの条件（ルート条件）などのルート情報の入力を受け付ける。
【００４１】
（制御部）
制御部２０３は、携帯端末２０の各部を統括的に制御する。制御部２０３は、例えば、ＣＰＵ（central processing unit）などで実現される。
【００４２】
制御部２０３は、活動量計１０から取得したユーザの活動量情報、及び、補助情報取得部２０２において取得された活動量補助情報を、通信部２０１を介してサーバ３０に送信する。より具体的には、制御部２０３は、活動量情報および活動量補助情報を記憶部２０５に格納しておき、所定の期間（例えば、１秒、１分又は１０分など）が経過する度に、当該所定の期間の間に記憶部２０５に格納した活動量情報および活動量補助情報をサーバ３０に送信する。
【００４３】
また、制御部２０３は、操作部２０４を介して受け付けた、活動用ルートを生成する旨のユーザ指示に基づき、活動用ルートの生成をサーバ３０に要求するためのルート要求指示を通信部３０１を介してサーバ３０に送信する。なお、ルート要求指示には、上述したルート情報が含まれる。
【００４４】
更に、制御部２０３は、ルート要求指示に従って生成されたルートを含む地図を示す地図情報に従い、ルート要求指示に従って生成されたルートを含む地図を表示するよう、表示部２０６を制御する。
【００４５】
（記憶部）
記憶部２０５には、活動量計１０から取得されたユーザの活動量情報、及び、補助情報取得部２０２において取得された活動量補助情報が、制御部２０３により一時的に格納される。
【００４６】
（表示部）
表示部２０６は、制御部２０３から供給される活動量情報の示す活動量を表示する。表示部２０６には、バックライトを有した透過型の液晶パネルを用いることができるが、これに限定されるものではなく、有機ＥＬディスプレイなど、他のディスプレイも用いることができる。
【００４７】
〔サーバ〕
サーバ３０は、活動量計１０及び携帯端末２０における、活動量のユーザへの提示に関する処理を統合的に制御する装置である。サーバ３０は、図１に示すように、通信部３０１、制御部３０２、及び、記憶部３０３を備えている。なお、本実施形態では、サーバ３０が１つのサーバによって実現されている場合を例に挙げて説明するが、本発明はこれに限定されるものではなく、上記各部の少なくとも何れかの機能が異なるサーバによって実現されていてもよい。
【００４８】
（通信部）
通信部３０１は、例えば、インターネットなどのネットワークを介して、携帯端末２０と無線通信を行う。
【００４９】
（制御部）
制御部３０２は、サーバ３０の備える各部を統括的に制御する。また、制御部３０２は、ルート生成部３２１、活動量管理部（取得手段、記録手段、環境情報取得手段）３２２、及び、活動量抽出部（提供手段）３２３を備えている。
【００５０】
ルート生成部３２１は、携帯端末２０から送信されたルート要求指示に基づいて、ユーザが活動時に参照するための活動用ルートを生成する。本実施形態では、ユーザの活動がウォーキングであって、活動用ルートとしてウォーキングルートを生成する場合を例に挙げて説明するが、本発明はこれに限定されるものではない。例えば、ユーザの活動がジョギングである場合には、ルート生成部３２１はジョギングコースを生成すればよい。
【００５１】
ルート条件としては、例えば、出発地点から到着地点までの所要時間が約１時間になるという条件、出発地点から到着地点までの距離が約１ｋｍになるという条件、及び、出発地点から到着地点まで歩く間に指定の店を通過するという条件など挙げることができる。
【００５２】
ルート生成部３２１は、生成したウォーキングルートを含む地図を示す地図情報を、通信部３０１を介して携帯端末２０に送信する。
【００５３】
活動量管理部３２２は、活動量計１０を使用するユーザが所定のエクササイズを行った際の活動量を示す活動量情報、及び、携帯端末２０において取得された活動量補助情報を通信部３０１を介して携帯端末２０Ａから取得する。ここで、本明細書においては、「所定のエクササイズ」とは、例えば、ヨガ、体操および水泳などの運動、ジョギング及びサイクリングなどの所定のルートに沿った移動、並びに、家事などの日常生活における活動などの総称である。なお、本実施形態では所定のエクササイズとして所定のルートに沿った移動を行う場合を例に挙げて説明する。
【００５４】
また、活動量管理部３２２は、取得した活動量情報、及び、活動量補助情報を、ルートに関連付けた活動量管理テーブルとして記憶部３０３に格納する。活動量管理テーブルについては後述する。
【００５５】
なお、ルートに沿った移動の一例としては、ウォーキング、ジョギング、サイクリングなどを挙げることができる。
【００５６】
活動量抽出部３２３は、記憶部３０３から活動量管理テーブルを読み出すと共に、読み出した活動量管理テーブルから運動量情報を読み出すことにより、活動量計１０を使用していない（携帯端末２０Ｂを使用する）ユーザに対して活動量を提示する処理を行う。
【００５７】
具体的には、活動量抽出部３２３は、まず、携帯端末２０Ｂから送信されたルート要求指示に含まれるルート情報と同じルート情報が登録されており、携帯端末２０Ｂのユーザのユーザ情報（ユーザ属性情報）に類似するユーザ情報が登録されている活動量管理テーブルを読み出す。そして、活動量抽出部３２３は、読み出した活動量管理テーブルから、携帯端末２０Ｂから送信される運動量補助情報の示す位置情報に類似する位置情報に関連付けられている活動量情報を抽出する。なお、活動量抽出部３２３における処理の詳細については、後述する。
【００５８】
（記憶部）
記憶部３０３は、種々の管理情報が格納される記憶手段である。図１に示すように、記憶部３０３には、活動量管理テーブルが格納されている。なお、活動量管理テーブルの詳細については、後述する。
【００５９】
（活動量補助情報の一例）
ここで、携帯端末２０Ａからサーバ３０に送信される活動量補助情報の具体的なデータの一例について、図３を参照して説明する。図３は、本実施形態に係る携帯端末２０Ａからサーバ３０に送信される活動量補助情報の示すデータの一例を示す図である。
【００６０】
図３に示すように、携帯端末２０Ａから送信される活動量補助情報には、時刻情報、緯度、経度、標高、及び、精度（図３における、timestamp、latitude、longitude、altitude、及び、accuracy）が含まれている。そして、図３に示す例では、時刻情報（timestamp）に示すように、活動量補助情報は１秒毎に携帯端末２０Ａから送信されている。
【００６１】
〔ルート生成処理〕
ここで、活動支援システム１（より具体的には、サーバ３０の備える制御部３０２のルート生成部３２１）におけるウォーキングルートのルート生成処理について、図４を参照して説明する。図４は、本実施形態に係る携帯端末２０の表示部２０６に表示される、サーバ３０のルート生成部３２１において生成されたルートを含む地図の一例を模式的に示す図である。図４（ａ）は、出発地点がＥ地点、到着地点がＦ地点であり、地点ＥからＦまでの距離が１ｋｍの経路となるルート条件が設定されている場合の地図の一例を示している。また、図４（ｂ）は、出発地点がＧ地点、到着地点がＨ地点であり、地点Ｉを通るルート条件が設定されている場合の地図の一例を示している。
【００６２】
まず、活動支援システム１は、携帯端末２０の備える操作部２０４において、ユーザが所望する出発地点、到着地点、及び、ルート条件などのルート情報の入力を受け付ける。例えば、出発地点として地点Ｅ、到着地点として地点Ｆ、ルート条件として出発地点から到着地点までの距離が約１ｋｍとなるよう経路を決定する旨の入力を受け付けると、携帯端末２０は、受け付けたルート情報をサーバ３０に送信する。
【００６３】
サーバ３０の備える制御部３０２のルート生成部３２１は、携帯端末２０からルート情報を受信すると、まず、出発地点Ｅ及び到着地点Ｆを設定する。そして、ルート生成部３２１は、出発地点Ｅと到着地点Ｆとを結ぶ経路のうち、ルート条件を満たす経路（つまり、出発地点Ｅから到着地点Ｆまでの距離が約１ｋｍとなるような経路）を選択する。
【００６４】
このとき、ルート生成部３２１は、ルート条件を満たす経路が複数存在する場合には、複数の経路から自動的に１つの経路を選択する構成を採用してもよいし、各経路を携帯端末２０の表示部２０６に表示してユーザに選択させる構成であってもよい。
【００６５】
ルート生成部３２１は、出発地点及び到着地点として設定した地点Ｅ及びＦを、ルート条件を満たす経路で結んだウォーキングルートを生成する。そして、ルート生成部３２１は、図４（ａ）に示すように、生成したウォーキングルートが強調された（例えば、他のルートと異なる色でハイライトされた）地図を示すルートデータを生成する。
【００６６】
また、ルート生成部３２１は、携帯端末２０の備える操作部２０４において、出発地点として地点Ｇ、到着地点として地点Ｈ、ルート条件として地点Ｉを経由する旨の入力を受け付けた場合には、図４（ｂ）に示すように、出発地点及び到着地点として設定した地点Ｅ及びＦを、地点Ｉを経由するルートで結んだウォーキングルートを生成する。
【００６７】
〔活動量管理テーブル〕
次に、活動量管理テーブルについて、図５を参照して説明する。図５は、本実施形態に係る活動量管理テーブルの一例を示す図である。図５（ａ）は、活動量管理テーブルのうちの固定データテーブルの一例を示す図であり、（ｂ）は、活動量管理テーブルのうちの変動データテーブルの一例を示す図である。
【００６８】
活動量テーブルには、図５（ａ）及び（ｂ）に示すように、ルート情報など逐次値が変化しない固定データを管理する固定データテーブルと、歩数や位置情報など逐次値が変化する変動データを管理する変動データテーブルとが含まれる。
【００６９】
固定データテーブルには、図５（ａ）に示すように、活動量計１０を使用（携帯端末２０Ａを使用）するユーザの身長、体重、年齢、性別および歩幅などのユーザ情報、出発地点、到着地点およびルート条件などのルート情報、並びに、天候、気温および湿度などの環境情報などが含まれる。環境情報には、更に、ＭＥＴｓ表（国立健康・栄養研究所が公開している、活動内容と活動量とを対応付けた表）においてＭＥＴｓを知ることのできる情報（例えば、道のぬかるみ状態、及び、荷物の有無など）が含まれていてもよい。
【００７０】
また、変動データテーブルには、図５（ｂ）に示すように、時刻情報、時刻情報の示す各時刻に対応する歩数、運動量、ＥＸ量および消費カロリーなどの活動量情報、並びに、各時刻に対応する緯度、経度および標高などの活動量補助情報などが含まれる。また、活動量補助情報には、図５（ｂ）に示すように、携帯端末２０Ａの補助情報取得部２０２において取得した緯度、経度および標高の精度を示す値が含まれていてもよい。
【００７１】
なお、本実施形態では、所定のエクササイズとして所定のルートに沿った移動を行う場合を例に挙げて説明しているが、所定のエクササイズがヨガである場合には、ルート情報に変えて、ヨガのポーズや該ポーズの継続時間などの情報を活動量管理テーブルに登録してもよい。
【００７２】
（活動量管理テーブル生成処理）
次に、サーバ３０の備える制御部３０２の活動量管理部３２２における活動量管理テーブルの生成処理について説明する。
【００７３】
活動量管理部３２２は、携帯端末２０Ａからルート要求指示を受信すると、ルート要求指示の送信元である携帯端末２０Ａを使用するユーザのユーザ情報を取得する。ユーザ情報は、例えば、ルート要求指示と共に携帯端末２０Ａから取得してもよいし、予めサーバ３０の記憶部３０３に登録されていてもよい。活動量管理部３２２は、ルート要求指示に含まれるルート情報と、取得したユーザ情報とを関連づけて、図５（ａ）に示すように活動量管理テーブルの固定データテーブルとして記憶部３０３に格納する。
【００７４】
また、活動量管理部３２２は、ルート生成部３２１においてルート要求指示に従って生成されたウォーキングルートの存在する地域の環境情報を、例えばネットワークなどを介してインターネットから取得する。活動量管理部３２２は、取得した環境情報を、ルート情報及びユーザ情報に関連づけて、図５（ａ）に示すように活動量管理テーブルの固定データテーブルとして記憶部３０３に格納する。
【００７５】
更に、活動量管理部３２２は、ユーザのウォーキングに関する活動量情報、及び、活動量補助情報を、携帯端末２０Ａから所定の期間毎に取得する。活動量管理部３２２は、取得した活動量情報および活動量補助情報を、当該活動量情報および活動量補助情報を取得した時刻を示す時刻情報と共に、記憶部３０３に一時的に格納する。そして、活動量管理部３２２は、ユーザのウォーキングが終了した場合（ユーザが到着地点に到着した場合）に、記憶部３０３に一時的に格納していた時刻情報、活動量情報および活動量補助情報を、活動量管理テーブルの変動データテーブルとして、上述した固定データテーブルに関連付けて記憶部３０３に格納する。
【００７６】
なお、本実施形態では、ユーザが到着地点に到着した場合に、記憶部３０３に一時的に格納していた時刻情報、活動量情報および活動量補助情報をまとめて活動量管理テーブルに記録する構成を例に挙げて説明したが、本発明はこれに限定されるものではない。例えば、活動量管理部３２２は、時刻情報、活動量情報および活動量補助情報を、携帯端末２０Ａから取得する都度、活動量管理テーブルに記録する構成を採用することもできる。
【００７７】
また、本実施形態では、ユーザ毎に活動量管理テーブルを生成する構成を例に挙げて説明するが、本発明はこれに限定されるものではない。例えば、ユーザ情報が所定の範囲内であるユーザ同士の活動量情報の示す活動量を平均することによって、活動量管理テーブルを生成してもよい。なお、ユーザ情報が所定の範囲内であるとは、例えば、身長が１６５ｃｍ〜１７４ｃｍである場合、体重が６５ｋｇ〜７４ｋｇである場合などをいう。
【００７８】
〔活動量提示処理〕
次に、本実施形態に係る活動支援システム１において、ユーザにウォーキングのルートを提示すると共に、提示したルートに沿ったウォーキングに係る活動量を提示するための処理（活動量提示処理）の流れについて、図６及び図７を参照して説明する。図６は、本実施形態に係る活動支援システム１における、活動量計１０を使用するユーザに対する活動量提示処理の流れを示すシーケンス図である。また、図７は、活動量計１０を使用しないユーザに対する活動量提示処理の流れを示すシーケンス図である。
【００７９】
（活動量計を使用するユーザに対する活動量提示処理）
まず、活動量計１０を使用するユーザに対する活動量提示処理の流れについて、図６を参照して説明する。
【００８０】
図６に示すように、まず、携帯端末２０Ａは、操作部２０４において、出発地点、到着地点、及び、ルート条件などのルート情報の入力を受け付ける（ステップＳ１０１）。ルート情報の入力を受け付けると、携帯端末２０Ａの制御部２０３は、受け付けたルート情報を含むルート要求指示を通信部２０１を介してサーバ３０に通知する。
【００８１】
サーバ３０の制御部３０２の備えるルート生成部３２１は、ルート要求指示を取得すると、取得したルート要求指示に含まれるルート情報に応じたウォーキングルートを生成する（ステップＳ１０２）。ルート生成部３２１は、生成したウォーキングルートを含む地図を示す地図情報を、通信部３０１を介して携帯端末２０Ａに送信する。
【００８２】
携帯端末２０Ａの制御部２０３は、サーバ３０から地図情報を取得すると、取得した地図情報の示す地図を表示部２０６に表示することにより、携帯端末２０Ａのユーザに当該ユーザの所望するウォーキングルートを提示する（ステップＳ１０３）。また、携帯端末２０Ａの制御部２０３は、活動量計１０に対し、ユーザの活動量の計測を開始する旨の計測開始指示を通知する。
【００８３】
携帯端末２０Ａは、ウォーキングルート上におけるユーザの現在位置を示す活動量補助情報を補助情報取得部２０２において取得する。
【００８４】
計測開始指示を取得すると、活動量計１０の制御部１０４の備えるセンサ出力解析部１４１及び活動量計測部１４２は、ユーザのウォーキングに係る活動量の計測を開始する（ステップＳ１０４）。そして、転送データ生成部１４３は、所定の期間が経過する度に転送データを生成し、生成した転送データを通信部１０３を介して随時携帯端末２０Ａに送信する。
【００８５】
携帯端末２０Ａの制御部２０３は、転送データを受信する度に、受信した転送データに含まれる活動量情報の示す活動量を表示部２０６に表示する（ステップＳ１０５）。また、携帯端末２０Ａは、取得した転送データ、及び、補助情報取得部２０２において取得した活動量補助情報を、通信部２０１を介してサーバ３０に送信する。
【００８６】
サーバ３０の備える制御部３０２の活動量管理部３２２は、受信した転送データの示す活動量情報及び活動量補助情報を、記憶部３０３に一時的に格納する（ステップＳ１０６）。
【００８７】
また、制御部３０２は、受信した活動量補助情報の示すユーザの現在位置に基づき、ユーザが到着地点に到着したか否かを判定する（ステップＳ１０７）。制御部３０２は、例えば、到着地点として設定されている地点の緯度及び経度の値と活動量補助情報に含まれる緯度及び経度の値を比較することによって、ユーザが到着地点に到着したか否かを判定すればよい。
【００８８】
ユーザが到着地点に到着していないと判定した場合（ステップＳ１０７においてＮＯ）、サーバ３０は、再びステップＳ１０６における処理を実行する。換言すれば、サーバ３０は、制御部３０２においてユーザが到着地点に到着したと判定するまで（ステップＳ１０７においてＹＥＳ）、ステップＳ１０６〜Ｓ１０７の処理を繰り返す。
【００８９】
ユーザが到着地点に到着したと判定すると（ステップＳ１０７においてＹＥＳ）、サーバ３０の制御部３０２は、活動量計１０におけるユーザの活動量の計測を停止する停止指示を携帯端末２０Ａを介して活動量計１０に送信する。停止指示を受信すると、活動量計１０は活動量の計測を停止し、携帯端末２０Ａは活動量補助情報の取得を停止する。
【００９０】
また、制御部３０２の活動量管理部３２２は、ユーザが出発地点から到着地点に到着するまでの間に取得した活動量情報及び活動量補助情報を、取得した時刻を示す時刻情報と関連づけた活動量管理テーブルを、記憶部３０３に記録する（ステップＳ１０８）。このとき、活動量管理部３２２は、活動量管理テーブルにおいて、ステップＳ１０１において入力されたルート条件などのルート情報、携帯端末２０Ａのユーザ情報、及び、ウォーキングを行った時刻の天候などの環境情報をさらに関連付けて記録する。
【００９１】
なお、本実施形態では、活動量管理部３２２は、ユーザがウォーキングルートから外れた場合には、外れた経路を歩いている最中の活動量は記録しなくてもよい。これによって、携帯端末２０Ａのユーザがウォーキングルート以外のルートにおける活動量が、ルート生成部３２１において生成されたウォーキングルートに沿って歩いた場合の活動量として記録されてしまうことを防ぐことができる。
【００９２】
また、本実施形態では、携帯端末２０Ａが、サーバ３０に対して、転送データ及び活動量補助情報を所定の期間毎に定期的に送信する構成を例に挙げて説明したが、本発明はこれに限定されるものではない。
【００９３】
例えば、携帯端末２０Ａは、転送データ及び活動量補助情報を記憶部２０５に一時的に格納しておき、ウォーキングが終了した後に、記憶部２０５に格納した転送データ及び活動量補助情報をまとめてサーバ３０に送信してもよい。この構成によれば、携帯端末２０Ａは、例えば、当該携帯端末２０Ａとサーバ３０との間の通信状態が悪い（通信ができない）ウォーキングルートに沿ってウォーキングを行った場合であっても、該ウォーキングに係る活動量をサーバ３０に提供することができる。
【００９４】
（活動量計を使用していないユーザに対する活動量提示処理）
次に、活動量計１０を使用していないユーザに対する活動量提示処理の流れについて、図７を参照して説明する。
【００９５】
図７に示すように、まず、携帯端末２０Ｂは、ルート情報の入力を受け付ける（ステップＳ２０１）。ルート情報の入力を受け付けると、携帯端末２０Ｂの制御部２０３は、受け付けたルート情報を含むルート要求指示を通信部２０１を介してサーバ３０に通知する。
【００９６】
サーバ３０の制御部３０２の備えるルート生成部３２１は、ルート要求指示を取得すると、取得したルート要求指示に含まれるルート情報に従ってウォーキングルートを生成する（ステップＳ２０２）。ルート生成部３２１は、生成したウォーキングルートを含む地図を示す地図情報を、通信部３０１を介して携帯端末２０Ｂに送信する。
【００９７】
また、サーバ３０の備える制御部の活動量抽出部３２３は、記憶部３０３に格納されている複数の活動量管理テーブルのうち、ステップＳ２０１において受け付けたルート要求指示に含まれるルート情報と同じルート情報を含む活動量管理テーブルであって、携帯端末２０Ｂのユーザのユーザ情報に類似するユーザ情報を含む活動量管理テーブルを読み出す（ステップＳ２０３）。
【００９８】
ここで、活動量抽出部３２３は、例えば、携帯端末２０Ｂのユーザの身長が１７０ｃｍである場合に、１６５ｃｍ〜１７４ｃｍなど活動量管理テーブルに登録されているユーザ情報の示す身長が所定の範囲内である場合に、ユーザ情報が類似すると判定すればよい。
【００９９】
携帯端末２０Ｂの制御部２０３は、サーバ３０から地図情報を取得すると、取得した地図情報の示す地図を表示部２０６に表示することによって、携帯端末２０Ｂのユーザに当該ユーザの所望するウォーキングルートを提示する（ステップＳ２０４）。
【０１００】
また、携帯端末２０Ｂは、所定の期間（例えば、１秒、１分など）が経過する度に、補助情報取得部２０２において、ウォーキングルート上におけるユーザの現在位置を示す活動量補助情報を取得する（ステップＳ２０５）。携帯端末２０Ｂは、補助情報取得部２０２において取得した活動量補助情報を、当該活動量補助情報を取得する度に通信部２０１を介してサーバ３０に送信する。
【０１０１】
サーバ３０の備える制御部３０２の活動量抽出部３２３は、携帯端末２０Ｂから取得した活動量補助情報の示すユーザの現在位置と略同じ位置を示す活動量補助情報に関連づけられている活動量情報を、ステップＳ２０３において読み出した活動量管理テーブルから抽出する（ステップＳ２０６）。活動量抽出部３２３は、活動量管理テーブルから抽出した活動量情報を、通信部３０１を介して携帯端末２０Ｂに送信する。
【０１０２】
携帯端末２０Ｂの制御部２０３は、受信した活動量情報の示す活動量を表示部２０６に表示する（ステップＳ２０７）。
【０１０３】
また、サーバ３０の備える制御部３０２は、抽出した活動量情報を携帯端末２０Ｂに送信すると、携帯端末２０Ｂから取得した活動量補助情報の示すユーザの現在位置に基づき、ユーザが到着地点に到着したか否かを判定する（ステップＳ２０８）。
【０１０４】
ユーザが到着地点に到着していないと判定した場合（ステップＳ２０８においてＮＯ）、サーバ３０は、再びステップＳ２０６における処理を実行する。換言すれば、サーバ３０は、制御部３０２においてユーザが到着地点に到着したと判定するまで（ステップＳ２０８においてＹＥＳ）、ステップＳ２０６及びＳ２０８の処理を繰り返す。
【０１０５】
ユーザが到着地点に到着したと判定すると（ステップＳ２０８においてＹＥＳ）、サーバ３０の制御部３０２は、活動量計１０におけるユーザの活動量の計測を停止する停止指示を携帯端末２０Ｂに通知する。そして、携帯端末２０Ｂは、停止指示を受信すると、補助情報取得部２０２における活動量補助情報の取得を停止する。
【０１０６】
以上のようにして、携帯端末２０Ｂのユーザが、図８に示すように出発地点Ｇから出発地点Ｈまで、地点Ｉを経由してウォーキングする場合には、図４（ｂ）に示すウォーキングルートをウォーキングした際の活動量管理テーブルであって、携帯端末２０のユーザのユーザ情報に類似するユーザ情報が関連付けられている活動量管理テーブルを参照して、携帯端末２０Ｂに対して活動量を提供することになる。
【０１０７】
図８は、本実施形態に係る携帯端末２０Ｂの表示部２０６に表示される、ウォーキングルートを含む地図の一例を模式的に示す図である。
【０１０８】
ここで、サーバ３０の備える制御部３０２の活動量抽出部３２３は、携帯端末２０Ｂのユーザが図８に示す中間地点（中間点）Ｘを通過する場合には、参照している活動量管理テーブルから活動量補助情報のうち中間地点Ｘを示す活動量補助情報に関連付けられている活動量情報を抽出し、携帯端末２０Ｂに送信すればよい。これにより、携帯端末２０Ｂのユーザは、活動量計１０を使用していなくても、ウォーキングルートの地点Ｘにおける正確な活動量を知ることができる。
【０１０９】
なお、本実施形態では、携帯端末２０Ｂが、ウォーキングにおける活動量情報をサーバ３０から所定の期間毎に定期的に取得する構成を例に挙げて説明したが、本発明はこれに限定されるものではない。
【０１１０】
例えば、携帯端末２０Ｂは、ウォーキングにおいて所定の期間毎に取得した活動量補助情報を、記憶部２０５に一時的に格納しておき、ウォーキングが終了した後に、記憶部２０５に格納した活動量補助情報をまとめてサーバ３０に送信し、その応答としてウォーキングに係る全運動量を取得してもよい。この構成によれば、携帯端末２０Ｂは、例えば、当該携帯端末２０Ｂとサーバ３０との間の通信状態が悪い（通信ができない）ウォーキングルートに沿ってウォーキングを行った場合であっても、該ウォーキングに係る活動量の提供をサーバ３０から受けることができる。
【０１１１】
なお、活動量管理テーブルに登録されている中間地点Ｘにおける活動量が、出発地点Ｇから中間地点Ｘまでの活動量である場合、活動量抽出部３２３は、活動量管理テーブルに登録されている中間地点Ｘにおける活動量を示す活動量情報を携帯端末２０Ｂに送信すればよい。
【０１１２】
一方、活動量管理テーブルに登録されている中間地点Ｘにおける活動量が、中間地点Ｘの直前の中間地点から中間地点Ｘまでの活動量である場合、活動量抽出部３２３は、活動量管理テーブルに登録されている出発地点Ｇから中間地点Ｘまでの各活動量を抽出し、抽出した各活動量の総計を出発地点Ｇから中間地点Ｘまでの活動量を示す活動量情報として携帯端末２０Ｂに送信する。
【０１１３】
上述の構成によれば、サーバ３０は、活動量計１０を所有していないユーザがウォーキングルートに沿ってウォーキングする場合に、当該ユーザの所有する携帯端末２０Ｂに対して、実際に他のユーザが同じウォーキングコースをウォーキングした際に計測された活動量を提供することができる。これにより、サーバ３０は、活動量計１０を所有していないユーザの所有する携帯端末２０Ｂに対して、一般的に定められたパラメータから自動的に算出された活動量ではなく、実際に他のユーザの所有する活動量計１０において計測された活動量に即した正確な活動量を提供することができる。
【０１１４】
また、サーバ３０は、複数の携帯端末２０Ａの各々から取得した活動量情報のうち、携帯端末２０Ｂのユーザのユーザ属性情報に類似するユーザ属性情報に関連付けられた活動量情報を、携帯端末２０Ｂに提供している。したがって、サーバ３０は、活動量計１０を所有していないユーザがウォーキングルートを行う場合に、当該ユーザの所有する携帯端末２０Ｂに対してより正確な活動量を提供することができる。
【０１１５】
これによって、活動量計１０を所有していないユーザも、活動量計１０を所有しているユーザと同様に、ウォーキングにおける正確な活動量を知ることができる。
【０１１６】
なお、本実施形態では、活動量抽出部３２３が、ウォーキングルート上の各地点に対応する地点を示す位置情報に関連づけられた活動量情報を活動量管理テーブルから抽出して携帯端末２０Ｂに送信する構成を採用しているが、本発明はこれに限定されるものではない。例えば、活動量管理テーブルでは、ウォーキングルート全体を移動した際の全活動量を示す活動量情報を管理しており、ウォーキングルート上の各地点における活動量を全活動量から算出する構成を採用することもできる。
【０１１７】
この場合には、図８に示す地点Ｘにおける活動量は、例えば、
地点Ｘにおける活動量（つまり、地点Ｇから地点Ｘまでの活動量）＝地点Ｇから地点Ｈまでの全活動量×地点Ｇから地点Ｘまでの距離／地点Ｇから地点Ｈまでの距離
により算出することができるが、算出方法は特に限定されるものではない。
【０１１８】
＜ソフトウェアによる実現例＞
活動量計１０、携帯端末２０、及び、サーバ３０の各部は、集積回路（ＩＣチップ）等に形成された論理回路（ハードウェア）によって実現してもよいし、ＣＰＵ（Central Processing Unit）を用いてソフトウェアによって実現してもよい。
【０１１９】
後者の場合、活動量計１０、携帯端末２０、及び、サーバ３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２０】
＜まとめ＞
本発明の態様１に係る活動支援装置（サーバ３０）は、対象ユーザが所定のエクササイズを行う場合に、当該対象ユーザの所有する携帯端末（携帯端末２０Ｂ）に対して、上記所定のエクササイズに応じた活動量を示す活動量情報を提供する提供手段（活動量抽出部３２３）を備えた活動支援装置であって、他のユーザが上記所定のエクササイズを行った際の活動量を示す活動量情報を、そのユーザの活動量を計測する活動量計測装置（活動量計１０）に対応する他の携帯端末（携帯端末２０Ａ）から取得する取得手段（活動量管理部３２２）を備えており、上記提供手段は、上記取得手段によって取得された活動量情報を、上記所定のエクササイズに応じた活動量を示す活動量情報として提供する。
【０１２１】
本発明の態様９に係る活動支援装置の活動量提供方法は、対象ユーザが所定のエクササイズを行う場合に、当該対象ユーザの所有する携帯端末に対して、上記所定のエクササイズに応じた活動量を示す活動量情報を、活動量支援装置が提供する活動量提供方法であって、他のユーザが上記所定のエクササイズを行った際の活動量を示す活動量情報を、そのユーザの活動量を計測する活動量計測装置に対応する他の携帯端末から取得する取得ステップと、上記取得ステップにおいて取得された活動量情報を、上記所定のエクササイズに応じた活動量を示す活動量情報として提供する提供ステップと、を含んでいる。
【０１２２】
上記の構成によれば、上記活動支援装置は、上記対象ユーザが上記所定のエクササイズを行う場合に、上記ユーザの所有する上記携帯端末に対して、上記他のユーザが上記所定のエクササイズを行った際の活動量を示す活動量情報を、上記対象ユーザの活動量を示す活動量情報として提供することができる。つまり、上記活動支援装置は、上記対象ユーザが上記所定のエクササイズを行う場合に、当該対象ユーザに対し、一般的に定められたパラメータから自動的に算出された活動量ではなく、実際に他のユーザが上記所定のエクササイズを行った際に計測された活動量を示す活動量情報を提供することができる。
【０１２３】
したがって、上記活動支援装置は、活動量計測装置を所有していない上記対象ユーザの所有する上記携帯端末に対して、上記所定のエクササイズを行った際に実際に得られる活動量に即した正確な活動量を示す活動量情報を提供することができる。
【０１２４】
なお、本明細書では、「活動量計測装置に対応する携帯端末」とは、例えば、その活動量計測装置（活動量計１０）と近距離無線通信可能な携帯端末（携帯端末２０Ａ）のことを指す。
【０１２５】
本発明の態様２に係る活動支援装置は、上記態様１において、上記取得手段は、複数のユーザの各々が上記所定のエクササイズを行った際の活動量を示す活動量情報を、そのユーザの活動量を計測する活動量計測装置に対応する他の携帯端末から取得し、当該活動支援装置は、上記複数のユーザの各々が上記所定のエクササイズを行った際の活動量を示す活動量情報を、そのユーザの属性を示すユーザ属性情報（ユーザ情報）と関連付けて記憶部（記憶部３０３）に記録する記録手段（活動量管理部３２２）を更に備え、上記提供手段は、上記記憶部に記録された活動量情報のうち、上記対象ユーザの属性と類似する属性を示すユーザ属性情報に関連付けられている活動量情報を、上記所定のエクササイズに応じた活動量を示す活動量情報として提供してもよい。
【０１２６】
上記の構成によれば、上記活動支援装置は、上記複数のユーザの携帯端末の各々から、活動量情報と共に、そのユーザの属性を示すユーザ属性情報を取得し、取得した活動量情報及びユーザ属性情報を関連付けて記憶部に記録している。そして、上記活動支援装置は、上記携帯端末に対し、上記記憶部に記録されている活動量情報のうち、上記対象ユーザの属性と類似する属性を示すユーザ属性情報に関連付けられている活動量情報を、上記対象ユーザの活動量を示す活動量情報として提供している。
【０１２７】
これにより、上記活動支援装置は、活動量計測装置を所有していない上記対象ユーザの所有する上記携帯端末に対して、当該対象ユーザの属性と類似する属性を有する他のユーザが上記所定のエクササイズを行った際に実際に得られた活動量を示す活動量情報を提供することができる。したがって、上記活動支援装置は、上記所定のエクササイズを行う場合に、活動量計測装置を所有していない上記ユーザの所有する上記携帯端末に対して、より正確な活動量を提供することができる。
【０１２８】
なお、ユーザ属性情報の一例としては、例えば、ユーザの身長、体重、性別、及び、年齢などを挙げることができる。
【０１２９】
本発明の態様３に係る活動支援装置は、上記態様１において、複数のユーザの各々が上記所定のエクササイズを行った際に、そのユーザの周囲の環境を示す環境情報を取得する環境情報取得手段（活動量管理部３２２）と、上記複数のユーザの各々が上記所定のエクササイズを行った際の活動量を示す活動量情報を、上記環境情報取得手段によって取得された環境情報と関連づけて記憶部（記憶部３０３）に記録する記録手段（活動量管理部３２２）と、を更に備え、上記提供手段は、上記記憶部に記録された活動量情報のうち、上記対象ユーザの周囲の環境と類似する環境を示す環境情報に関連付けられている活動量情報を、上記所定のエクササイズに応じた活動量を示す活動量情報として提供してもよい。
【０１３０】
上記の構成によれば、上記活動支援装置は、活動量計測装置を所有していない上記対象ユーザの所有する上記携帯端末に対して、当該対象ユーザが上記所定のエクササイズを行う場合の周囲の環境と類似する環境において上記所定のエクササイズが行われた際に得られた活動量に即した活動量を示す活動量情報を提供することができる。したがって、上記活動支援装置は、上記所定のエクササイズを行う場合に、活動量計測装置を所有していない上記対象ユーザの所有する上記携帯端末に対して、より正確な活動量を提供することができる。
【０１３１】
なお、環境情報の一例としては、例えば、天気、気候、及び、湿度などを挙げることができる。
【０１３２】
本発明の態様４に係る活動支援装置において、上記態様１から３における上記所定のエクササイズは、所定のルートに沿った移動であり、上記取得手段は、上記他のユーザが上記所定のルートに沿って移動した際の活動量を示す活動量情報を取得し、上記提供手段は、上記取得手段によって取得された活動量情報を、上記対象ユーザが行う上記所定のルートに沿った移動に応じた活動量を示す活動量情報として提供してもよい。
【０１３３】
上記の構成によれば、上記活動支援装置は、上記対象ユーザが上記所定のルートに沿った移動を行う場合に、上記他のユーザが上記所定のルートに沿って移動した際の活動量を示す上記他の活動量情報を、上記対象ユーザの活動量を示す活動量情報として上記携帯端末に提供することができる。
【０１３４】
なお、上記所定のルートに沿った移動の一例としては、ウォーキング、ジョギング、及び、サイクリングなどが挙げられる。
【０１３５】
本発明の態様５に係る活動支援装置において、上記態様２から４における上記取得手段は、上記他のユーザが上記所定のルートの複数の中間点の各々まで移動した際の活動量を示す活動量情報を取得し、上記提供手段は、上記対象ユーザが上記所定のルートの各中間点まで移動した際の活動量を示す活動量情報として、上記取得手段が取得した活動量情報であって、上記他のユーザが上記所定のルーツの当該中間点まで移動した際の活動量を示す活動量情報を提供してもよい。
【０１３６】
本発明の態様６に係る活動支援装置において、上記態様２から４における上記提供手段は、上記他のユーザが上記所定のルートの終点まで移動した際の活動量から上記所定のルートの中間点まで移動した際の活動量を算出すると共に、上記対象ユーザが上記所定のルートの上記中間点まで移動した際の活動量を示す活動量情報として、上記算出された活動量を示す活動量情報を提供してもよい。
【０１３７】
上記の構成によれば、上記活動支援装置は、上記ユーザが上記所定のルートに沿った移動の途中であっても、当該途中である中間点まで移動した際の活動量を示す活動量情報を上記携帯端末に提供することができる。
【０１３８】
本発明の態様７に係る携帯端末（携帯端末２０Ｂ）は、対象ユーザが所定のエクササイズを行う場合に、上記所定のエクササイズに応じた活動量を提示する提示手段（表示部２０６）を備えた携帯端末であって、他のユーザが上記所定のエクササイズを行った際の活動量を示す活動量情報を、そのユーザの活動量を計測する活動量計測装置（活動量計１０）に対応する他の携帯端末（携帯端末２０Ａ）から活動支援装置（サーバ３０）を介して受信する受信手段（通信部２０１）を備えており、上記提示手段は、上記受信手段によって受信された活動量情報の示す活動量を、上記所定のエクササイズに応じた活動量として提示する。
【０１３９】
上記の構成によれば、上記携帯端末は、上記対象ユーザが上記所定のエクササイズを行う場合に、上記他のユーザが上記所定のエクササイズを行った際に上記活動量計測装置において計測された活動量を、上記対象ユーザの活動量として提示することができる。
【０１４０】
したがって、上記携帯端末は、活動量計測装置を所有していない上記対象ユーザに対して、上記所定のエクササイズを行った際に実際に得られる活動量に即した正確な活動量を提示することができる。
【０１４１】
本発明の態様８に係る活動支援システム（活動支援システム１）は、対象ユーザが所定のエクササイズを行う場合に、上記所定のエクササイズに対応する活動量を提示する携帯端末（携帯端末２０Ｂ）と、他のユーザの活動量を計測する活動量計測装置（活動量計１０）に対応する他の携帯端末（携帯端末２０Ａ）と、上記携帯端末及び上記他の携帯端末と通信を行う活動支援装置（サーバ３０）と、を備えた活動支援システムであって、上記活動支援装置は、上記他の携帯端末から取得した、上記他のユーザが上記所定のエクササイズを行った際の活動量を示す活動量情報を上記携帯端末に送信し、上記携帯端末は、上記活動支援装置から送信された活動量情報の示す活動量を、上記所定のエクササイズに対応する活動量として提示する。
【０１４２】
上記の構成によれば、上記活動支援システムは、上記活動支援装置において取得した、上記他のユーザが上記所定のエクササイズを行った際の活動量を示す活動量情報を、上記対象ユーザが上記所定のエクササイズを行う場合に上記携帯端末に提供することができる。
【０１４３】
したがって、上記活動支援システムは、活動量計測装置を所有していない上記対象ユーザに対して、上記所定のエクササイズを行った際に実際に得られる活動量に即した正確な活動量を提示することができる。
【０１４４】
本発明の各態様に係る情報共有支援装置は、コンピュータによって実現してもよく、この場合には、コンピュータを上記情報共有支援装置が備える各手段として動作させることにより上記情報共有支援装置をコンピュータにて実現させる情報共有支援装置のプログラム、およびそれを記録したコンピュータ読み取り可能な記録媒体も、本発明の範疇に入る。
【０１４５】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【０１４６】
本発明は上述した実施形態および変形例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０１４７】
本発明に係る活動支援装置は、スマートフォン、携帯電話、ＰＤＡ及びタブレット型ＰＣなどの携帯端末、並びに、活動量計を統合的に管理するサーバなどに好適に適用することができる。
【符号の説明】
【０１４８】
１          活動支援システム
１０        活動量計（活動量計測装置）
２０        携帯端末
３０        サーバ（活動支援装置）
１０１      センサ部
１０２      計時部
１０３      通信部
１０４      制御部
１０５      記憶部
１４１      センサ出力解析部
１４２      活動量計測部
１４３      転送データ生成部
２０１      通信部（受信手段）
２０２      補助情報取得部
２０３      制御部
２０４      操作部
２０５      記憶部
２０６      表示部（提示手段）
３０１      通信部
３０２      制御部
３０３      記憶部
３２１      ルート生成部
３２２      活動量管理部（取得手段、記録手段、環境情報取得手段）
３２３      活動量抽出部（提供手段）
【図１】
2015066005.tif 000003
【図２】
2015066005.tif 000004
【図３】
2015066005.tif 000005
【図４】
2015066005.tif 000006
【図５】
2015066005.tif 000007
【図６】
2015066005.tif 000008
【図７】
2015066005.tif 000009
【図８】
2015066005.tif 000010
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
活動量計測装置を所有していない対象ユーザが所定のエクササイズを行う場合に、当該対象ユーザの所有する携帯端末に対して、上記所定のエクササイズに応じた活動量を示す活動量情報を提供する提供手段を備えた活動支援装置であって、
他のユーザが上記所定のエクササイズと同じ種類のエクササイズであって、上記所定のエクササイズと同等の運動量のエクササイズを行った際の活動量を示す活動量情報を、そのユーザの活動量を計測する活動量計測装置に対応する他の携帯端末から取得する取得手段を備えており、
上記提供手段は、上記取得手段によって取得された活動量情報を、上記所定のエクササイズに応じた上記対象ユーザの活動量を示す活動量情報として提供する、
ことを特徴とする活動支援装置。
【請求項２】
上記取得手段は、複数のユーザの各々が上記所定のエクササイズと同じ種類のエクササイズであって、上記所定のエクササイズと同等の運動量のエクササイズを行った際の活動量を示す活動量情報を、そのユーザの活動量を計測する活動量計測装置に対応する他の携帯端末から取得し、
当該活動支援装置は、上記複数のユーザの各々が上記所定のエクササイズと同じ種類のエクササイズであって、上記所定のエクササイズと同等の運動量のエクササイズを行った際の活動量を示す活動量情報を、そのユーザの属性を示すユーザ属性情報と関連付けて記憶部に記録する記録手段を更に備え、
上記提供手段は、上記記憶部に記録された活動量情報のうち、上記対象ユーザの属性と類似する属性を示すユーザ属性情報に関連付けられている活動量情報を、上記所定のエクササイズに応じた上記対象ユーザの活動量を示す活動量情報として提供する、
ことを特徴とする請求項１に記載の活動支援装置。
【請求項３】
複数のユーザの各々が上記所定のエクササイズと同じ種類のエクササイズであって、上記所定のエクササイズと同等の運動量のエクササイズを行った際に、そのユーザの周囲の環境を示す環境情報を取得する環境情報取得手段と、
上記複数のユーザの各々が上記所定のエクササイズと同じ種類のエクササイズであって、上記所定のエクササイズと同等の運動量のエクササイズを行った際の活動量を示す活動量情報を、上記環境情報取得手段によって取得された環境情報と関連づけて記憶部に記録する記録手段と、を更に備え、
上記提供手段は、上記記憶部に記録された活動量情報のうち、上記対象ユーザの周囲の環境と類似する環境を示す環境情報に関連付けられている活動量情報を、上記所定のエクササイズに応じた上記対象ユーザの活動量を示す活動量情報として提供する、
ことを特徴とする請求項１に記載の活動支援装置。
【請求項４】
活動量計測装置を所有していない対象ユーザが所定のエクササイズを行う場合に、上記所定のエクササイズに応じた活動量を提示する提示手段を備えた携帯端末であって、
他のユーザが上記所定のエクササイズと同じ種類のエクササイズであって、上記所定のエクササイズと同等の運動量のエクササイズを行った際の活動量を示す活動量情報を、そのユーザの活動量を計測する活動量計測装置に対応する他の携帯端末から活動支援装置を介して受信する受信手段を備えており、
上記提示手段は、上記受信手段によって受信された活動量情報の示す活動量を、上記所定のエクササイズに応じた上記対象ユーザの活動量として提示する、
ことを特徴とする携帯端末。
【請求項５】
活動量計測装置を所有していない対象ユーザが所定のエクササイズを行う場合に、上記所定のエクササイズに対応する活動量を提示する携帯端末と、
他のユーザの活動量を計測する活動量計測装置に対応する他の携帯端末と、
上記携帯端末及び上記他の携帯端末と通信を行う活動支援装置と、を備えた活動支援システムであって、
上記活動支援装置は、上記他の携帯端末から取得した、上記他のユーザが上記所定のエクササイズと同じ種類のエクササイズであって、上記所定のエクササイズと同等の運動量のエクササイズを行った際の活動量を示す活動量情報を上記携帯端末に送信し、
上記携帯端末は、上記活動支援装置から送信された活動量情報の示す活動量を、上記所定のエクササイズに対応する上記対象ユーザの活動量として提示する、
ことを特徴とする活動支援システム。